(57)【要約】      （修正有）【課題】健康状態をチェックできる人体周波数診断分析設備を提供する。【解決手段】人体周波数診断分析設備は発射／受信器１０、検査・測定ユニット１１及びコントロールユニット１３により構成される。発射／受信器一端と人体の頭部とは連接され、周波数を発射し、人体の頭部は、発射／受信器を経て、周波数をフィードバックする。検査・測定ユニットは発射／受信器と連接し、フィードバック周波数を受け取る。コントロールユニットは、検査・測定ユニットをコントロールするとともに、演算ユニット１４、データベース１７及びモニター１５を有する。演算ユニットは発射周波数とフィードバック周波数とを比較対照し、ダブルスペクトルを生じ、ダブルスペクトルの周波数セクションの最大落差値をチェックする。最大落差値が、人体周波数失調の位置である。データベース１７によりダブルスペクトルを比較対照し、検査・測定情報を生じる。【選択図】図１
0003204179.tif 000002
【実用新案登録請求の範囲】
【請求項１】
人体周波数診断分析設備は、発射／受信器、検査・測定ユニット、コントロールユニットを有し、
前記発射／受信器の一端は、人体の頭部と連接し、発射を駆動され、発射周波数を発射し、これにより人体の頭部は、前記発射／受信器を経て、フィードバック周波数をフィードバックし、
前記検査・測定ユニットは、前記発射／受信器と連接し、前記発射／受信器を駆動し、これにより前記発射／受信器は、発射周波数を発射し、フィードバック周波数を受け取り、
前記コントロールユニットは、前記検査・測定ユニットと連接し、前記検査・測定ユニットをコントロールし、
前記コントロールユニットは、演算ユニットを有し、前記演算ユニットは、発射周波数とフィードバック周波数を演算し、ダブルスペクトルを生じ、前記ダブルスペクトルの周波数セクションの最大落差値が、人体周波数失調の位置で、前記コントロールユニットは、データベースを有し、前記データベースにより、前記ダブルスペクトルを比較対照し、検査・測定情報を生じ、前記コントロールユニットは、モニターを有し、前記モニターには、前記ダブルスペクトル及び前記検査・測定情報を表示し、人体臓器或いは人体経絡が失調しているか否かを知り、予防的治療を行うことを特徴とする人体周波数診断分析設備。
【請求項２】
前記人体周波数診断分析設備は、心拍センサーをさらに有し、前記心拍センサーは、人体の脈拍或いは心臓部位に連接し、心拍回数の数値を得て、
前記コントロールユニットは、インプットユニットを有し、前記インプットユニットにより、心拍回数の数値をインプットし、前記演算ユニットにより、インプットされた心拍回数数値を演算後、複数の推測周波数数値を生じ、こうして前記推測周波数数値と前記ダブルスペクトルの周波数セクションの最大落差値とを比較対照し、前記最大落差値が人体経絡周波数失調位置であることを特徴とする請求項１に記載の人体周波数診断分析設備。
【請求項３】
前記人体周波数診断分析設備が、検査・測定可能な周波数セクションは、１．８〜８．２Ｈzであることを特徴とする請求項１或いは２に記載の人体周波数診断分析設備。
【請求項４】
前記人体周波数診断分析設備には、律動波を発生できる律動機を組み合わせて使用でき、
前記律動機と人体とを接触させ、前記最大落差値の律動波を発することを特徴とする請求項１或いは２に記載の人体周波数診断分析設備。
【請求項５】
前記人体周波数診断分析設備には、エッセンシャルオイルを組み合わせて使用できることを特徴とする請求項１或いは２に記載の人体周波数診断分析設備。
【考案の詳細な説明】
【技術分野】
【０００１】
本考案は人体周波数診断分析設備に関し、特に人体周波数を診断及び分析でき、これにより健康状態をチェックできる人体周波数診断分析設備に関する。
【背景技術】
【０００２】
東洋医学では、人体にはある微妙な分布システムがあり、「気」、「血」等の精微物質を運んでいると考えている。この分布ネットワークを人体経絡システムと呼び、臓器と肢体とをつないでいる。気血の運行通路で、大きなものが経脈で、経脈の分支は絡脈である。
また、東洋医学では、人体の各臓器は周波数を備え、その周波数の失調は、臓器の問題を表すと考えている。西洋医学でも、予防医学の重要性は言われており、定期的な健康診断が呼びかけられている。健康診断は、個人の健康状況を理解し、早期に症状或いは危険因子を発見し、早期治療につなげることができる。
【０００３】
しかし、一般の健康診断は、臓器に変化が生じていないかどうかを検査できるだけで、臓器に変化が生じる前に予防を行うことはできない。そのため、ほとんどは疾病の発生後に医者に掛かることが多く、もとの健康状態を回復できないこともあり、さらには後遺症が残り、生活に支障をきたすこともある。
そのため、予防医学が重視されるようになっている。予防医学は一般市民、特定のグループ或いは一個人の健康を維持、促進するものである。予防医学は主に、健康の促進及び疾病の予防を含み、中でも健康の促進には生活形態、生活環境及び医療体系がある。
疾病の予防とは、人体に疾病が生じる前に、健康に対する危険因子を評価及び改善することで、疾病の発展を制限するものである。
【考案の概要】
【考案が解決しようとする課題】
【０００４】
本考案の目的は、健康状態をチェックできる人体周波数診断分析設備に関する。
【課題を解決するための手段】
【０００５】
本考案による人体周波数診断分析設備は発射／受信器、検査・測定ユニット及びコントロールユニットにより構成される。
該発射／受信器一端と人体の頭部とは連接され、発射を駆動され、発射周波数を発射し、これにより人体の頭部は、該発射／受信器を経て、フィードバック周波数をフィードバックする。
該検査・測定ユニットは、該発射／受信器と連接し、該発射／受信器を駆動し、これにより該発射／受信器は、発射周波数を発射し、フィードバック周波数を受け取る。
該コントロールユニットと該検査・測定ユニットとは連接し、該検査・測定ユニットをコントロールする。
該コントロールユニットは演算ユニット、データベース及びモニターを有する。
該演算ユニットは発射周波数とフィードバック周波数とを比較対照し、ダブルスペクトルを生じる。
これにより、ダブルスペクトルの周波数セクションの最大落差値をチェックする。
該最大落差値が、人体周波数失調の位置である。
該データベースにより、該ダブルスペクトルを比較対照し、検査・測定情報を生じる。
該モニターには、ダブルスペクトル及び検査・測定情報を表示する。
【０００６】
本考案による人体周波数診断分析設備は、心拍センサーをさらに有し、前記心拍センサーは、人体の脈拍（或いは心臓部位）に連接し、心拍回数数値を得る。
該コントロールユニットは、インプットユニットを有し、該インプットユニットにより、心拍回数の数値をインプットし、該演算ユニットにより、インプットされた心拍回数数値を演算後、複数の推測周波数数値を生じる。
こうして、該推測周波数数値と該ダブルスペクトルの周波数セクションの最大落差値とを比較対照し、該最大落差値が、人体経絡周波数失調位置である。
【０００７】
本考案による人体周波数診断分析設備が、検査・測定可能な周波数セクションは、１．８〜８．２Ｈzである。
【０００８】
本考案による人体周波数診断分析設備には、律動波を発生できる律動機を組み合わせて使用でき、該律動機と人体とを接触させ、該最大落差値の律動波を発する。
【０００９】
本考案による人体周波数診断分析設備には、エッセンシャルオイルを組み合わせて使用できる。
【考案の効果】
【００１０】
本考案による人体周波数診断分析設備には、臓器に変化が生じる前に予防を行うことはできる、これにより人体の健康を改善する目的を達成する。
【図面の簡単な説明】
【００１１】
【図１】本考案実施形態の構造ブロックチャートである。
【図２】本考案実施形態による人体周波数検査・測定の使用フローチャートである。
【図３】本考案実施形態による人体経絡周波数検査・測定の使用フローチャートである。
【図４】本考案実施形態のダブルスペクトルの参考図である。
【図５】本考案実施形態の人体経絡周波数の参考図である。
【考案を実施するための形態】
【００１２】
本考案の技術内容、構造特徴、達成する目的を詳細に説明するため、以下に実施例を挙げ並びに図面を組み合わせて説明する。
【００１３】
図１に示す通り、本考案の人体周波数診断分析設備１は、発射／受信器１０、検査・測定ユニット１１、心拍センサー１２、コントロールユニット１３を有する。
発射／受信器１０の一端は、人体の頭部と連接し、発射を駆動され、発射周波数を発射し、これにより人体の頭部は、発射／受信器１０を経て、フィードバック周波数をフィードバックする。
検査・測定ユニット１１は、発射／受信器１０と連接し、発射／受信器１０を駆動する。これにより、発射／受信器１０は、発射周波数を発射し、フィードバック周波数を受け取る。
心拍センサー１２は、人体の脈拍（或いは心臓部位）に連接し、心拍回数の数値を得る。
コントロールユニット１３は、検査・測定ユニット１１と連接し、検査・測定ユニット１１をコントロールする。
コントロールユニット１３は、演算ユニット１４、モニター１５、インプットユニット１６及びデータベース１７を有する。演算ユニット１４は、発射周波数とフィードバック周波数を演算し、ダブルスペクトルを生じる。インプットユニット１６により、心拍回数の数値をインプットし、演算ユニット１４により、インプットされた心拍回数数値を演算後、複数の推測周波数数値を生じる。データベース１７により、ダブルスペクトルを比較対照し、検査・測定情報を生じる。モニター１５には、ダブルスペクトル及び検査・測定情報を表示する。
【００１４】
図１、２に示す通り、人体周波数が失調していないか否かを検査・測定する際には、発射／受信器１０一端と人体の頭部とを連接後、コントロールユニット１３により検査・測定ユニット１１をコントロールし、発射／受信器１０を駆動し、発射周波数を人体頭部へと発射する。こうして、人体の頭部は、発射／受信器１０を経て、フィードバック周波数をフィードバックする。
検査・測定ユニット１１は、フィードバック周波数を受信後、さらにコントロールユニット１３に伝送する。演算ユニット１４は、発射周波数とフィードバック周波数とを演算及び比較対照し、ダブルスペクトルを生じる。さらに、データベース１７と比較対照し、検査・測定情報を生じる。こうして、人体臓器にすでに失調が発生し、予防的治療が必要なことが分かると、ダブルスペクトル及び検査・測定情報を、モニター１５上に表示する。ダブルスペクトルの周波数セクション中の最大落差値が、人体周波数失調の位置である（図４に示す通り、最大落差値は６．６Ｈz位置にある）。
【００１５】
図１、３に示す通り、人体経絡周波数が失調しているか否かを検査・測定する時には、心拍センサー１２と人体の脈拍（或いは心臓部位）とを連接し、これにより心拍回数数値を得る。心拍回数数値をインプットユニット１６中にインプットし、演算ユニット１４により演算し、複数の推測周波数数値を生じた後、推測周波数数値とダブルスペクトルの周波数セクションの最大落差値とを比較対照する。最大落差値が、人体経絡周波数失調位置である。
図５に示す通り、人体心拍回数数値が７２とインプットされると、演算後には複数の推測周波数が得られる。さらに、推測周波数とダブルスペクトルとを比較対照し、最大落差値が６．６Ｈzにあることが分かり、人体の胃経絡に問題があることが分かる。
【００１６】
また、律動波を発生できる律動機と人体とを接触させ、しかも律動機は律動波の周波数を調整することができる。
例えば、最大落差値が６．６Ｈzであれば、律動機の周波数を６．６Ｈzに調整し、律動機は６．６Ｈzの律動波をアウトプットし、人体周波数を調整する。また、問題が発生した人体臓器或いは経絡に対してエッセンシャルオイルを組み合わせて使用し、改善の目的を達成することができる。
よって、人体周波数を診断することで、人体臓器或いは経絡周波数が失調しているか否かを知ることができ、健康状態を理解し、こうして人体或いは経絡周波数を調整することができる。
【００１７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００１８】
１  人体周波数診断分析設備
１０  発射／受信器
１１  検査・測定ユニット
１２  心拍センサー
１３  コントロールユニット
１４  演算ユニット
１５  モニター
１６  インプットユニット
１７  データベース
【図１】
0003204179.tif 000003
【図２】
0003204179.tif 000004
【図３】
0003204179.tif 000005
【図４】
0003204179.tif 000006
【図５】
0003204179.tif 000007